(57)【特許請求の範囲】
【請求項１】
商取引における商品の登録を行う商品登録装置であって、
撮影手段を用いて商品を撮影した撮影画像が表示される表示手段と、
動作モードに対応付けられた商品登録に関する情報を出力する情報出力手段と、
所定の動作モードで商品登録を行う場合に、商品の種類または商品登録を行った合計金額に基づいて商品登録を制限する登録制限手段と、
を備え、
前記情報出力手段は、前記所定の動作モードで商品登録を行う場合に、当該商品登録の過程および商品登録を行う前後の少なくとも何れかの時点で、前記撮影画像における商品に反応するキャラクターを特典情報として前記表示手段に表示させる、
ことを特徴とする商品登録装置。
【請求項２】
前記情報出力手段は、前記キャラクターが商品登録の状況を説明するように前記キャラクターを前記表示手段に表示させる、
ことを特徴する請求項１に記載の商品登録装置。
【請求項３】
前記情報出力手段は、前記キャラクターが商品登録の成否に反応するように前記キャラクターを前記表示手段に表示させる、
ことを特徴する請求項１または２に記載の商品登録装置。
【請求項４】
商取引における商品の登録を行う商品登録方法であって、
撮影手段を用いて商品を撮影した撮影画像を表示手段に表示させる撮影画像表示ステップと、
動作モードに対応付けられた商品登録に関する情報を出力する情報出力ステップと、
所定の動作モードで商品登録を行う場合に、商品の種類または商品登録を行った合計金額に基づいて商品登録を制限する登録制限ステップと、
を有し、
前記情報出力ステップは、前記所定の動作モードで商品登録を行う場合に、当該商品登録の過程および商品登録を行う前後の少なくとも何れかの時点で、前記撮影画像における商品に反応するキャラクターを特典情報として前記表示手段に表示させる、
ことを特徴とする商品登録方法。
【請求項５】
商取引における商品の登録を行う商品登録装置におけるコンピュータを、
撮影手段を用いて商品を撮影した撮影画像を表示手段に表示させる撮影画像表示制御手段、
動作モードに対応付けられた商品登録に関する情報を出力する情報出力手段、
所定の動作モードで商品登録を行う場合に、商品の種類または商品登録を行った合計金額に基づいて商品登録を制限する登録制限手段、
として機能させ、
前記情報出力手段は、前記所定の動作モードで商品登録を行う場合に、当該商品登録の過程および商品登録を行う前後の少なくとも何れかの時点で、前記撮影画像における商品に反応するキャラクターを特典情報として前記表示手段に表示させる、
ことを特徴とするプログラム。
【発明の詳細な説明】
【技術分野】
【０００１】
本発明は、商取引における商品の登録を行う商品登録装置、商品登録方法およびプログラムに関する。
【背景技術】
【０００２】
近年、顧客自身がチェックアウト処理を行うセルフチェックアウトシステムが広く知られている。セルフチェックアウトシステムでは、チェックアウト端末を操作するのが店舗に来店する顧客自身になるので、子供が年齢制限のある商品（例えば、煙草や酒類）を間違って購入してしまわないようにする必要がある。そこで、ＣＣＤカメラで撮影した顧客の顔画像より未成年であるか否かを判定し、未成年であると判定された場合に年齢制限がある商品の販売を中止するチェックアウト端末が提案されている（特許文献１参照）。
【先行技術文献】
【特許文献】
【０００３】
【特許文献１】特開２０１４−０３２５３８号公報
【発明の概要】
【発明が解決しようとする課題】
【０００４】
しかしながら、顧客としての子供が年齢制限のある商品（例えば、煙草や酒類）の購入を制限されることは当然であるが、特許文献１に記載される技術は、顧客の立場が十分に想定されていなかった。つまり、子供が間違って年齢制限のある商品を購入することも考えられ、その場合に、子供がそのことを不快に感じてしまうという問題があった。特に、セルフレジの良さの一つにスキャニング体験があり、子供がセルフレジを楽しんで使用していることが多く、商品の購入を高圧的に制限することでその良さを低減させてしまう可能性がある。
【０００５】
本発明の課題は、子供が行う商品登録に一定の制限を設けたとしても、その制限を不快に感じさせないようにすることである。
【課題を解決するための手段】
【０００６】
前記課題を解決するため、本発明に係る商品登録装置は、
商取引における商品の登録を行う商品登録装置であって、
撮影手段を用いて商品を撮影した撮影画像が表示される表示手段と、
動作モードに対応付けられた商品登録に関する情報を出力する情報出力手段と、
所定の動作モードで商品登録を行う場合に、商品の種類または商品登録を行った合計金額に基づいて商品登録を制限する登録制限手段と、
を備え、
前記情報出力手段は、前記所定の動作モードで商品登録を行う場合に、当該商品登録の過程および商品登録を行う前後の少なくとも何れかの時点で、前記撮影画像における商品に反応するキャラクターを特典情報として前記表示手段に表示させる、
ことを特徴とする商品登録装置である。
【０００７】
また、本発明に係る商品登録方法は、
商取引における商品の登録を行う商品登録方法であって、
撮影手段を用いて商品を撮影した撮影画像を表示手段に表示させる撮影画像表示ステップと、
動作モードに対応付けられた商品登録に関する情報を出力する情報出力ステップと、
所定の動作モードで商品登録を行う場合に、商品の種類または商品登録を行った合計金額に基づいて商品登録を制限する登録制限ステップと、
を有し、
前記情報出力ステップは、前記所定の動作モードで商品登録を行う場合に、当該商品登録の過程および商品登録を行う前後の少なくとも何れかの時点で、前記撮影画像における商品に反応するキャラクターを特典情報として前記表示手段に表示させる、
ことを特徴とする商品登録方法である。
また、本発明に係るプログラムは、
商取引における商品の登録を行う商品登録装置におけるコンピュータを、
撮影手段を用いて商品を撮影した撮影画像を表示手段に表示させる撮影画像表示制御手段、
動作モードに対応付けられた商品登録に関する情報を出力する情報出力手段、
所定の動作モードで商品登録を行う場合に、商品の種類または商品登録を行った合計金額に基づいて商品登録を制限する登録制限手段、
として機能させ、
前記情報出力手段は、前記所定の動作モードで商品登録を行う場合に、当該商品登録の過程および商品登録を行う前後の少なくとも何れかの時点で、前記撮影画像における商品に反応するキャラクターを特典情報として前記表示手段に表示させる、
ことを特徴とするプログラムである。
【発明の効果】
【０００８】
本発明によれば、子供が行う商品登録に一定の制限を設けたとしても、その制限を不快に感じさせないようにすることができる。
【図面の簡単な説明】
【０００９】
【図１】本発明の実施形態におけるセルフチェックアウト端末の外観斜視図である。
【図２】本発明の実施形態におけるセルフチェックアウト端末を示す概略の構成図である。
【図３】本発明の実施形態に係るセルフチェックアウト端末の論理ブロックである。
【図４】セルフチェックアウト端末が保有する情報を説明するための図であり、（ａ）は登録制限情報のデータ構成図の例示であり、（ｂ）は出力情報のデータ構成図の例示である。
【図５】セルフチェックアウト端末の商品登録処理の全体動作を示すフローチャートを例示した図である。
【図６】セルフチェックアウト端末が表示するモード選択画面の例示である。
【図７】セルフチェックアウト端末の大人モードでの商品登録処理の動作を示すフローチャートを例示した図である。
【図８】セルフチェックアウト端末が大人モードで表示する商品登録画面を説明するための図であり、（ａ）は商品登録前の状態を示し、（ｂ）は商品登録後の状態を示す。
【図９】セルフチェックアウト端末が大人モードで表示する登録確認画面の例示である。
【図１０】セルフチェックアウト端末が大人モードで発行するレシートの例示である。
【図１１】セルフチェックアウト端末の子供モードでの商品登録処理の動作を示すフローチャートを例示した図である。
【図１２】セルフチェックアウト端末が子供モードで表示する商品登録画面を説明するための図であり、（ａ）は商品登録前の状態を示し、（ｂ），（ｃ）は商品登録中の状態を示す。
【図１３】セルフチェックアウト端末が子供モードで表示する商品登録画面を説明するための図であり、（ａ）は商品登録が成功した状態を示し、（ｂ）は商品登録が失敗した状態を示し、（ｃ）は商品登録が制限された状態を示す。
【図１４】セルフチェックアウト端末が子供モードで発行するレシートの例示である。
【発明を実施するための形態】
【００１０】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１１】
［実施形態］
（セルフチェックアウト端末の構成）
図１は、実施形態におけるセルフチェックアウト端末１の外観を示す斜視図である。
図１に示すセルフチェックアウト端末１は、スーパーなどの商取引を行う場所に設置され、顧客によるセルフチェックアウトを行う端末である。ここで、セルフチェックアウトとは、店員による作業によらないで、商品登録から精算までの作業を顧客自身が行うことを意味している。なお、特許請求の範囲の商品登録装置は、セルフチェックアウト端末１を含む概念である。
【００１２】
本実施形態に係るセルフチェックアウト端末１の筺体２は、地面に接する下部側筐体１０と、下部側筐体１０の上面後方に設置される上部側筐体２０とから構成されている。下部側筐体１０と上部側筐体２０とは一体に成形されていてもよいし、別々に成形されたものを接合されたものであってもよい。
下部側筐体１０の左側面には、顧客が購入しようとした商品を入れたカゴを載置するためのカゴ載置台１１が形成されている。一方、下部側筐体１０の右側面には顧客が購入した商品を入れる買い物袋（図示せず）を取り付ける袋保持具６が上部に設置される袋保持具設置台１２が形成されている。
【００１３】
下部側筐体１０には、硬貨と紙幣の入出金装置１３（図３参照）が内蔵されている。入出金装置１３の一部として、下部側筐体１０の前面左側には硬貨投入口１３ａおよび硬貨払出口１３ｂが配置されており、また、下部側筐体１０の前面右側には紙幣投入口１３ｃおよび紙幣払出口１３ｄが配置されている。顧客は、商取引の精算を行うに際し、硬貨投入口１３ａや紙幣投入口１３ｃに現金を投入し、硬貨払出口１３ｂや紙幣払出口１３ｄから排出されるお釣りを受け取る。
【００１４】
上部側筐体２０の上部にはタッチディスプレイ２１が設置され、前面の左側上部にはスピーカ２２が設置されている。また、上部側筐体２０には、商取引を行う商品を撮影する撮影装置２３と、商取引の精算に使用するクレジットカードから情報を読み出すカードリーダ２４と、商取引の内容をレシート用紙に印字すると共にレシートとして発行するプリンタ２５とが内蔵されている。図１では、カードリーダ２４の一部としてカード挿入口が図示されており、また、プリンタ２５の一部としてレシート排出口が図示されている。
【００１５】
図２は、実施形態におけるセルフチェックアウト端末１の概略を示す構成図である。
セルフチェックアウト端末１は、図１で示した構成以外に、制御部２６と、記憶部２７と、通信部２８とを備えている。なお、図２に示すセルフチェックアウト端末１の各構成は、内部バスや各入出力回路（不図示）を介して互いに通信可能に接続されている。
制御部２６は、ＣＰＵ２６ａと、ＲＡＭ２６ｂと、ＲＯＭ２６ｃとからなる。
ＣＰＵ２６ａは、中央制御装置であり、セルフチェックアウト端末１全体の制御を司る。
ＲＡＭ２６ｂは、ＣＰＵ２６ａによって使用される一時記憶手段であり、ＣＰＵ２６ａが実行するプログラムに係る画像データや各種変数などを一時的に記憶する。
ＲＯＭ２６ｃは、不揮発性の記憶手段であり、ＣＰＵ２６ａによって実行されるプログラムなどを記憶する。
【００１６】
記憶部２７は、例えばＨＤＤ（Hard Disk Drive）やＳＳＤ（Solid State Drive）などによって構成され、各種プログラムや各種ファイルを記憶する。記憶部２７に記憶されている各種プログラムや各種ファイルは、セルフチェックアウト端末１の起動時に、その全部または一部がＲＡＭ２６ｂにコピーされてＣＰＵ２６ａにより実行される。この記憶部２７には、各種のデータが記憶されている。
【００１７】
通信部２８は、例えばネットワークインタフェースコントローラであり、オペレータ（店員）が操作するオペレータ端末Ｔなどに接続されている。セルフチェックアウト端末１でエラーやヘルプボタンが押された場合に、ＣＰＵ２６ａは発光部５（図１参照）を発光させると共に、通信部２８を介してこれらの情報をオペレータ端末Ｔに送信する。
【００１８】
入出金装置１３は、硬貨投入口１３ａから投入された硬貨や紙幣投入口１３ｃから投入された紙幣を筐体３ａ内へ搬送し、投入された硬貨や紙幣の異常の有無を識別した後に、正常な硬貨や紙幣については選別部で金種別に選別して収納部に収納する。そして、ＣＰＵ２６ａからの払い出し指示に基づいて、収納部の硬貨や紙幣を硬貨払出口１３ｂや紙幣払出口１３ｄから筐体３ａ外へお釣りとして払い出すものである。なお、異常な硬貨や紙幣については、収納せずに硬貨払出口１３ｂや紙幣払出口１３ｄなどへリジェクトする等の処理を行う。
【００１９】
タッチディスプレイ２１は、例えば液晶表示装置であるディスプレイ２１ａの表面にタッチパネル２１ｂが積層されたものである。このタッチディスプレイ２１は、ＣＰＵ２６ａによって制御され、顧客によるタッチ操作入力を受け付けるとともに、顧客に対して取扱商品の撮影画像や取扱商品の会計に関する情報（商品名、金額など）などを表示する。
スピーカ２２は、ＣＰＵ２６ａによって制御され、顧客に対してセルフチェックアウト端末１の動作状況や操作方法などを音声として出力する。
【００２０】
撮影装置２３は、カラーＣＣＤ（Charge Coupled Device）イメージセンサやカラーＣＭＯＳ（Complementary Metal Oxide Semiconductor）イメージセンサなどから構成され、ＣＰＵ２６ａの制御の下で撮影を行う撮影手段である。撮影装置２３は、例えば３０ｆｐｓ（frame per second）の動画像の撮影を行う。撮影装置２３が所定のフレームレートで順次撮影したフレーム画像（撮影画像）は、ＲＡＭ２６ｂに保存される。
【００２１】
カードリーダ２４は、ＣＰＵ２６ａの制御の下でクレジットカード等の磁気カードに記録された情報、例えばカード番号や暗証番号を読み取る情報読取手段である。カードリーダ２４が読み取った情報は、会計処理で使用される。
プリンタ２５は、例えば熱転写プリンタであり、取扱商品の会計時にＣＰＵ２６ａの指示により、会計処理の内容をレシート用紙に印字し、レシートとして発行する。
【００２２】
図３は、実施形態におけるセルフチェックアウト端末１を示す論理ブロック図である。
セルフチェックアウト端末１のＣＰＵ２６ａ（図３参照）は、ＲＯＭ２６ｃ（図３参照）に格納された不図示のプログラムを実行することにより、処理部５０として、画像記憶部５１と、オブジェクト認識処理部５２と、登録制限部５３ちと、情報出力部５４と、売上登録部５５、入力取得部５６と、会計処理部５７との各部を具現化する。
なお、処理部５０は、記憶部２７に格納されるオブジェクト認識用データ２７ａと、登録制限情報２７ｂと、出力情報２７ｃと、商品内容データ２７ｄと、売上マスタ２７ｅとを参照する。
【００２３】
オブジェクト認識用データ２７ａは、取扱商品の種類毎に対応するバーコード情報や、取扱商品の種類毎にモデル化された特徴量を組み合わせたテンプレート情報が予め登録される。オブジェクト認識用データ２７ａは、例えば、店舗に陳列して販売する取扱商品の各々について、商品名または商品ＩＤと、その取扱商品のバーコード情報やその取扱商品の特徴量との関連付けが設定されたデータファイルであり、取扱商品の認識に使用される。
【００２４】
登録制限情報２７ｂは、取扱商品に対応させて商品登録を制限する条件（販売を禁止する条件）が登録されている。図４（ａ）に登録制限情報２７ｂのデータ構成図を例示する。ここでの登録制限情報２７ｂは、商品識別情報である商品名に対応させて２０歳未満の顧客へ販売することが可能か否かを示す情報が登録されている。例えば、取扱商品「水」や「ジュース」については２０歳未満の顧客への販売が可能であることを示す情報「○（マル）」が登録されており、取扱商品「ビール」や「酒」については２０歳未満の顧客への販売を制限（禁止）することを示す情報「×（バツ）」が登録されている。
【００２５】
出力情報２７ｃは、セルフチェックアウト端末１の動作モードに対応させて状況毎の表示データ（動画、静止画を含む）、音声データ、印刷データなどが登録されている。つまり、出力情報２７ｃには、セルフチェックアウト端末１の操作ガイド（操作方法の説明や次に行う操作についての情報など）やセルフチェックアウト端末１で行った処理結果の画面情報などが含まれる。そして、出力情報２７ｃは、一方の動作モードに対応する情報には特典情報が含まれておらず、他方の動作モードに対応する情報には少なくとも一つ以上の特典情報が含まれている。ここで、特典情報とは、顧客によい心証を与えるもの（特定の年齢層の顧客によい心証を与えるものも含む）であればよく、例えば、キャラクターを用いた操作方法の説明、キャラクターを用いた処理結果の通知、ゲーム性のある処理結果の通知などであってよい。
【００２６】
図４（ｂ）に出力情報２７ｃのデータ構成図を例示する。ここでの出力情報２７ｃは、「大人モード用出力情報」と「子供モード用出力情報」とに対応させて状況毎の表示データ、音声データ、印刷データが登録されている。大人モードは、操作ガイドや処理結果がシンプルで分かり易い動作モードであり、大人モード用出力情報には、大人モード用出力情報には特典情報が含まれていない。一方、子供モードは、操作ガイドや処理結果が丁寧で難しい用語や漢字を使用しない動作モードであり、子供モード用出力情報には特典情報が含まれている。
具体的には、状況「商品登録」には「大人モード用出力情報」として表示データ「画像Ａ２」および音声データ「音声Ａ２」が登録されており、「子供モード用出力情報」として表示データ「画像Ｃ２」および音声データ「音声Ｃ２」が登録されている。また、状況「登録結果（ＯＫ）」には「大人モード用出力情報」として表示データ「画像Ａ３」および音声データ「音声Ａ３」が登録されており、「子供モード用出力情報」として表示データ「画像Ｃ３」および音声データ「音声Ｃ３」が登録されている。そして、子供モード用出力情報の表示データ「画像Ｃ２」や表示データ「画像Ｃ３」に特典情報が含まれている。
【００２７】
商品内容データ２７ｄは、取扱商品の内容情報が設定されたデータファイルである。商品内容データ２７ｄには、取扱商品の内容情報として、商品ＩＤ（IDentifier）、商品名、単価、値引き情報などが設定される。
売上マスタ２７ｅは、取扱商品の売上登録を記録するファイルであり、顧客に売り上げた商品ＩＤと、これに対応する商品分類、商品名、単価、販売個数などが記録される。
【００２８】
画像記憶部５１は、撮影装置２３が撮影したフレーム画像（カラーデジタル画像）を順次取り込んで記憶する。例えば、バーコードが印刷されている取扱商品についてはバーコードの画像が取り込まれ、一方、バーコードが印刷されていない取扱商品については登録商品の全体を映した画像が取り込まれる。
【００２９】
オブジェクト認識処理部５２は、フレーム画像から取扱商品を認識する。ここで、オブジェクト認識処理部５２に認識手法は特に限定されず、例えば、フレーム画像からバーコードを読み取ることで取扱商品を認識してもよいし、一般物体認識（generic object recognition）技術を用いて取扱商品を認識してもよい。一般物体認識技術について概説すると、エッジ検出等の技術を用いてフレーム画像における取扱商品の候補となる画像を背景から分離し、各分離画像について、大きさ、形状、色合い、表面の凹凸具合などの表面の状態を特徴量として演算する。続いて、演算した分離画像の特徴量とオブジェクト認識用データ２７ａに記憶された取扱商品の各特徴量とをそれぞれ比較することで類似度を算出し、算出した類似度が高ければ取扱商品として認識する。ここで類似度とは、オブジェクト認識用データ２７ａに記録されている取扱商品が想定する特徴量を１００％の類似度とした場合に、各分離画像の特徴量がどの程度まで類似しているかを示すものである。なお、類似度が高いものが複数ある場合には、候補商品をタッチディスプレイ２１に表示して顧客に該当する取扱商品を選択してもらってもよい。
【００３０】
登録制限部５３は、商品登録の制限（販売の禁止）を行う。
登録制限部５３は、セルフチェックアウト端末１の動作モードが子供モードである場合に、登録制限情報２７ｂを参照してオブジェクト認識処理部５２が認識した取扱商品が子供への販売が可能であるか否かを判定し、販売ができない取扱商品であると判定された場合に商品登録を制限する。具体的には、登録制限部５３は、オブジェクト認識処理部５２が認識した取扱商品が「ビール」、「酒」、「タバコ」などであった場合に商品登録を制限する。
【００３１】
また、登録制限部５３は、セルフチェックアウト端末１の動作モードが子供モードである場合に、オブジェクト認識処理部５２が認識した取扱商品の単価を加算するなどして、ある時点までの合計金額が予め決められた金額（閾値）を超えた場合に、それ以降の商品登録を制限する。例えば、販売総額が「一万円」と決められていた場合、一万円を超えない範囲での販売を可能とし、一万円を超えた場合に以降の取扱商品の商品登録を制限する。
なお、登録制限部５３は、セルフチェックアウト端末１の動作モードが子供モードである場合に、オブジェクト認識処理部５２が認識した取扱商品の単価が予め決められた金額（閾値）を超えている場合に、その取扱商品の商品登録を制限するようにしてもよい。
商品登録を制限した場合には、その情報をディスプレイ２１ａやスピーカ２２を介して顧客に報知されると共に、通信部２８を介してオペレータ端末Ｔに送信するようにしてもよい。
【００３２】
情報出力部５４は、セルフチェックアウト端末１で行った処理の結果をタッチディスプレイ２１、スピーカ２２およびプリンタ２５に出力し、顧客にその内容を報知する。
例えば、情報出力部５４は、商品登録処理を行う場合に出力情報２７ｃおよび商品内容データ２７ｄを参照して、商品登録画面を表示する。ここで、出力情報２７ｃの「子供モード用出力情報」には特典情報が含まれている。その為、子供が商品登録を行っているときに登録制限部５３により商品登録を制限されても、顧客である子供は、情報出力部５４により出力された特典情報を観察することでその制限を不快に感じない。
【００３３】
売上登録部５５は、商品登録された取扱商品の売上登録を行う。具体的には、売上登録部５５は、通知された商品ＩＤおよび、これに対応する商品分類、商品名、単価、販売個数などを売上マスタ２７ｅなどに記録して売上登録を行う。
【００３４】
入力取得部５６は、タッチパネル２１ｂを介してディスプレイ２１ａの表示に対応する各種入力操作を受け付ける。
【００３５】
会計処理部５７は、入出金装置１３、カードリーダ２４などを制御して、商品登録を行った取扱商品についての会計処理を行う。会計処理部５７は、例えば、全ての商品登録が完了した場合に、登録確認画面を表示して顧客に精算を行わせる。顧客により入出金装置１３に現金を投入されると、会計処理部５７は、入出金装置１３に差額分のお釣りを排出させる。
【００３６】
（セルフチェックアウト端末の動作）
次に、セルフチェックアウト端末１を用いた商品登録処理について図５を参照して説明する。図５は、セルフチェックアウト端末１の商品登録処理の全体動作を示すフローチャートを例示した図である。
最初に、情報出力部５４は、タッチディスプレイ２１に開始画面を表示する（ステップＳ１）。開始画面には、例えば、「ご来店ありがとうございます。買い物カゴを載置台に置いて、スタートボタンを押してください。」のようなメッセージが表示されている。顧客は、タッチディスプレイ２１の開始画面に従い、買い物カゴをカゴ載置台１１に置いて、スタートボタンを押す。
【００３７】
続いて、情報出力部５４は、タッチディスプレイ２１にモード選択画面（図６参照）を表示する（ステップＳ２）。モード選択画面には、例えば、「大人モード」、「子供モード」、「家族モード」を選択する各種ボタンと、これらのモードの説明が行われる説明ボタンとが配置されている。顧客は、各種モードが分からなければ、説明ボタンを押してモードの内容を理解した後に、各種モードボタンを押してモードを選択する。顧客により選択された動作モードは、例えば、一回の商取引が完了するまでセルフチェックアウト端末１内に情報として記憶される。
【００３８】
大人モードとは、操作ガイドがシンプルで分かり易い動作モードであり、成年者がセルフチェックアウト端末１を操作する場合を想定している。
子供モードとは、操作ガイドが丁寧で難しい用語や漢字を使用しない動作モードであり、未成年者（特に、小児）がセルフチェックアウト端末１を操作する場合を想定している。子供モードでは、一定の取扱商品の販売が制限されるが、特典情報としてキャラクターが表示される。
【００３９】
家族モードとは、子供モードと同じように操作ガイドが丁寧で難しい用語や漢字を使用しない動作モードであり、家族連れがセルフチェックアウト端末１を操作する場合を想定している。家族モードでは、子供モードとは異なり、一定の取扱商品の販売が制限されず、さらに特典情報としてキャラクターが表示される。家族モードを用いれば、子供が理解しながら商品登録を行えるのに加えて、親の責任のもとで２０歳未満への販売が禁止されている取扱商品についても購入することが可能になる。なお、大人モードと同じように操作ガイドがシンプルで分かり易い動作モードであり、未成年者（特に、１５歳以上２０歳未満）がセルフチェックアウト端末１を操作する場合を想定したモードがあってもよい。このモードでは、大人モードとは異なり、一定の取扱商品の販売が制限されるようにする。
なお、大人モードまたは家族モードが選択された場合に、セルフチェックアウト端末１の操作者（顧客）に成年であることを確認する画面を表示するようにしてもよい。
【００４０】
処理部５０は、タッチディスプレイ２１に表示されたモード選択画面で、どの動作モードが顧客により選択されたかを判別する（ステップＳ３）。そして、処理部５０は、ステップＳ３で選択された動作モードに応じて、各種選択された動作モードでの商品登録処理および会計処理を実行する。
例えば、処理部５０は、大人モードが選択された場合（ステップＳ３で“大人モード”）に、出力情報２７ｃ（図４（ｂ）参照）の「大人モード用出力情報」を用いて、大人モードでの商品登録処理および会計処理を実行する（ステップＳ４）。
また、処理部５０は、子供モードが選択された場合（ステップＳ３で“子供モード”）に、出力情報２７ｃ（図４（ｂ）参照）の「子供モード用出力情報」を用いて、子供モードでの商品登録処理および会計処理を実行する（ステップＳ５）。
また、処理部５０は、家族モードが選択された場合（ステップＳ３で“家族モード”）に、出力情報２７ｃ（図４（ｂ）参照）の「子供モード用出力情報」を用いて、家族モードでの商品登録処理および会計処理を実行する（ステップＳ６）。
ステップＳ４，Ｓ５，Ｓ６の各種モードでの商品登録処理および会計処理については後述する。
【００４１】
ステップＳ４，Ｓ５，Ｓ６に続いて、情報出力部５４は、終了画面を表示する（ステップＳ７）。これにより、一回の商取引が完了する。顧客は、買い物袋に入った取引商品を持ってセルフチェックアウト端末１から離れる。そして、次の顧客によりステップＳ１で表示する開始画面のスタートボタンが押されることで、次の商取引が開始する。
【００４２】
（大人モードによる商品登録処理および会計処理）
次に、図５のステップＳ４における大人モードによる商品登録処理および会計処理について図７を参照して説明する。図７は、セルフチェックアウト端末１の大人モードによる商品登録処理および会計処理の動作を示すフローチャートを例示した図である。
最初に、情報出力部５４は、出力情報２７ｃ（図４（ｂ）参照）の「大人モード用出力情報」を取得する（ステップＳ２１）。なお、ステップＳ２１で出力情報２７ｃの「大人モード用出力情報」を一括で取得してＲＡＭ２６ｂに格納しておいてもよいし、以下説明する各ステップでその都度必要とする情報のみを取得するようにしてもよい。
【００４３】
情報出力部５４は、出力情報２７ｃの「大人モード用出力情報」を用いて、タッチディスプレイ２１に商品登録画面を表示する（ステップＳ２２）。この商品登録画面は、例えば、図８（ａ）に示す構成である。ここでの商品登録画面は、画面上部左側に顧客の操作が表示される欄６１が設けられており、画面下部中央に撮影装置２３が撮影した画像が表示される欄６２が設けられており、画面上部右側に認識された取扱商品（登録商品）が表示される欄６３が設けられている。欄６１には、例えば、「カゴから商品を取り出し、登録確認音がなるまでスキャナに近づけてください。」のような説明文が表示される。それに従い顧客がカゴに入っている取扱商品を撮影装置２３に近づけると、撮影装置２３で撮影された画像が画像記憶部５１に記憶されると共に撮影された画像がタッチディスプレイ２１に表示される（図８（ａ）参照）。図８（ａ）では、取扱商品「みかん」の画像が表示されているので、顧客は撮影状況を確認できる。なお、取扱商品にバーコードが印刷されている場合には、バーコードを撮影装置２３に近づけると、バーコードを撮影された画像が画像記憶部５１に記憶される。
【００４４】
続いて、オブジェクト認識処理部５２は、画像記憶部５１に記憶された画像から取扱商品を認識し、情報出力部５４は、オブジェクト認識処理部５２の認識結果を商品登録結果として表示する（ステップＳ２３）。具体的には、情報出力部５４は、オブジェクト認識処理部５２で認識された取扱商品に関する情報（例えば、商品名，価格など）を欄６３に表示する（図８（ｂ）参照）。
また、情報出力部５４は、例えば、「登録が無事に完了しました。全ての商品の登録が完了しましたら、登録完了ボタンを押して下さい。」のような説明文を欄６１に表示する。顧客は、カゴにまだ取扱商品が残っていれば、残りの取扱商品の商品登録を行う。なお、オブジェクト認識処理部５２で取扱商品の認識ができなかった場合には、情報出力部５４は、例えば、「商品をもう一度スキャナに近づけて下さい。」のような説明文を欄６１に表示するとよい。
【００４５】
全ての取扱商品の商品登録が完了し、顧客により図８（ｂ）に示す登録完了ボタン６４が押されたら、情報出力部５４は、図９に示す登録確認画面を表示する（ステップＳ２４）。図９では、顧客が取扱商品「みかん」および取扱商品「りんご」の商品登録を行った場合を示している。そして、顧客が自身の行った商品登録の内容を確認し、精算ボタン６５を押すことで、情報出力部５４は、顧客に対して図９に示す金額の支払いに関する説明を表示する。
【００４６】
続いて、顧客により現金が入出金装置１３に投入されるか、またはカードリーダ２４によりクレジットカードが投入されると、会計処理部５７は、支払い方法に応じた精算処理を行い、お釣りの返却があれば入出金装置１３から現金を排出すると共に、情報出力部５４は、図１０に示すレシートを発行する（ステップＳ２５）。これにより、セルフチェックアウト端末１の大人モードによる商品登録処理および会計処理が完了する。
【００４７】
（子供モードによる商品登録処理および会計処理）
次に、図５のステップＳ５における子供モードによる商品登録処理および会計処理について図１１を参照して説明する。図１１は、セルフチェックアウト端末１の子供モードによる商品登録処理および会計処理の動作を示すフローチャートを例示した図である。
最初に、情報出力部５４は、出力情報２７ｃの「子供モード用出力情報」を取得する（ステップＳ３１）。この「子供モード用出力情報」には、特典情報（キャラクターなど）が含まれている。なお、ステップＳ３１で出力情報２７ｃの「子供モード用出力情報」を一括で取得してＲＡＭ２６ｂに格納しておいてもよいし、以下説明する各ステップでその都度必要とする情報のみを取得するようにしてもよい。
【００４８】
情報出力部５４は、出力情報２７ｃの「子供モード用出力情報」を用いて、タッチディスプレイ２１に商品登録画面を表示する（ステップＳ３２）。この商品登録画面は、例えば、図１２（ａ）に示す構成である。ここでの商品登録画面は、画面上部中央に特典情報であるキャラクターＰが表示されており、画面上部左側に顧客の操作が表示される欄７１が設けられており、画面下部中央に撮影装置２３が撮影した画像が表示される欄７２が設けられており、画面上部右側に認識された取扱商品（登録商品）が表示される欄７３が設けられている。欄７１には、例えば、キャラクターＰが話すように「カゴからしょうひんをとりだしてスキャナにちかづけよう」のような説明文が表示される。つまり、ここでは、特典情報であるキャラクターＰが商品登録の状況の説明を行っている。また、この子供モードでは、平仮名、カタカナ、平易な漢字のみを表示している。
【００４９】
続いて、顧客がカゴに入っている取扱商品を撮影装置２３に近づけると、撮影装置２３は取扱商品を撮影し、撮影された取扱商品の画像が画像記憶部５１に記憶されると共に撮影された画像がタッチディスプレイ２１に表示される（図１２（ｂ）参照）。図１２（ｂ）では、取扱商品「みかん」の画像が表示されている。このとき、タッチディスプレイ２１に表示されるキャラクターＰは、撮影された取扱商品を観察するような表情や動作にするとよい。すなわち、キャラクターＰが撮影された取扱商品の動作に反応するようにするのがよく、図１２（ｃ）示すように、取扱商品を右側に移動した場合に、キャラクターＰの瞳を右に移動させて表示することで、キャラクターＰは視線を取扱商品に追随させているように見える。これにより、実際には顧客が行っている商品登録の動作であるが、キャラクターＰも一緒になって商品登録の動作を行っているように感じることができる。なお、タッチディスプレイ２１に仮想の顧客を表示し、実際に商品登録を行う顧客が店員になった状況を演出するようにしてもよい。
【００５０】
続いて、オブジェクト認識処理部５２は、画像記憶部５１に記憶された画像から取扱商品を認識し、情報出力部５４は、オブジェクト認識処理部５２の認識結果を商品登録結果として表示する（ステップＳ３３）。
具体的には、画像記憶部５１に記憶された画像から取扱商品を認識できた場合に、情報出力部５４は、オブジェクト認識処理部５２で認識された取扱商品に関する情報（例えば、商品名，価格など）を欄７３に表示する（図１３（ａ）参照）。また、情報出力部５４は、特典情報として楽しい表情のキャラクターＰを表示すると共に、例えば、「うまくできたね。ほかにしなものがなければ、おわりボタンをおしてね」のような説明文を欄７１に表示する。これにより、子供によるスムーズな商品登録処理を促すことができる。
また、画像記憶部５１に記憶された画像から取扱商品を認識できなかった場合に、情報出力部５４は、特典情報として残念な表情のキャラクターＰを表示すると共に、例えば、「ごめんね。もういちどチャレンジしてみよう」のような説明文を欄７１に表示する（図１３（ｂ）参照）。これにより、子供によるスムーズな商品登録処理を促すことができる。
【００５１】
また、画像記憶部５１に記憶された画像から取扱商品を認識できたものの登録制限部５３により子供に販売できない登録商品であると判定された場合に、情報出力部５４は、登録制限部５３により登録が制限された取扱商品に関する情報（例えば、商品名など）を取扱商品（登録商品）が表示される欄に表示する（図１３（ｃ）参照）。また、情報出力部５４は、特典情報として哀しい表情のキャラクターＰを表示すると共に、例えば、「ごめんね。てんいんさんにそうだんしてね」のような説明文を欄７１に表示する。また、２０歳未満の顧客への販売ができないことを示すイラストを欄７２に表示する。なお、登録制限部５３によりある時点までの合計金額が予め決められた金額（閾値）を超えた場合に、情報出力部５４は、合計金額が予め決められた金額（閾値）を超えたことを示すイラストを表示する（図示せず）。
【００５２】
このように、セルフチェックアウト端末１は、取扱商品の認識結果に対応した表情をしているキャラクターＰをタッチディスプレイ２１に表示する。これにより、セルフチェックアウト端末１は、顧客である子供が商品登録を行っているときに登録制限部５３により商品登録を制限されても、情報出力部５４により出力された特典情報を観察させることでその制限を不快に感じないようにしている。
【００５３】
全ての取扱商品の商品登録が完了し、顧客により図１３（ａ）に示すおわりボタンが押されたら、情報出力部５４は、登録確認画面を表示し、顧客に対して金額の支払いに関する説明を表示する（ステップＳ３４）。
そして、顧客により現金が入出金装置１３に投入されると、会計処理部５７は、支払い方法に応じた精算処理を行い、お釣りの返却があれば入出金装置１３から現金を排出すると共に、情報出力部５４は、図１４に示すレシートを発行する（ステップＳ３５）。これにより、セルフチェックアウト端末１の子供モードによる商品登録処理および会計処理が完了する。
図１４に示すレシートの下部には、特典情報としてキャラクターＰ、得点（スコア）８１、および得点（スコア）についてのコメント８２が印刷されている。得点（スコア）８１は、例えば、商品登録の内容を予め定められた指標（例えば、商品認識できた確率、作業の時間など）を用いて算出するのがよい。なお、商品認識を高確率で行った場合や短時間で商品登録を完了した場合などに高得点（ハイスコア）にすることで、よりスムーズな商品登録処理を子供に促すことが期待できる。また、コメント８２は、例えば、「すごいね。つぎもがんばろう。」のような文章であってよい。
【００５４】
（家族モードによる商品登録処理および会計処理）
次に、図５のステップＳ６における家族モードによる商品登録処理および会計処理について説明する。家族モードでの商品登録処理および会計処理は、図１１に示す子供モードでの商品登録処理および会計処理のフローチャートのステップＳ３３の処理以外は同じである。子供モードでは、ステップＳ３３で登録制限部５３により商品登録の制限を行っていたが、家族モードでは、登録制限部５３により商品登録の制限を行わないようにする。この家族モードを用いれば、子供が理解しながら商品登録を行えるのに加えて、親の責任のもとで２０歳未満への販売が禁止されている取扱商品についても購入することが可能になる。
【００５５】
以上のように、実施形態に係るセルフチェックアウト端末１は、子供モードが選択された場合に商品登録の制限を行うか否かを判定する。また、子供モードが選択された場合に特典情報であるキャラクターＰを用いてセルフチェックアウト端末１の操作の説明を行い、また、商品登録の結果を出力する。その為、商品登録に一定の制限を設けたとしても、顧客に対してその制限を不快に感じさせる可能性を低くすることができる。
【００５６】
［変形例］
以上、本発明の実施形態について説明したが、本発明はこれに限定されるものではなく、特許請求の範囲の趣旨を変えない範囲で実施することができる。各実施形態の変形例を以下に示す。
【００５７】
実施形態では、商品登録装置としてセルフチェックアウト端末１を想定して説明した。しかしながら、本発明の商品登録装置はこれに限定されるものではなく、種々の構成にすることが可能である。
また、実施形態では、セルフチェックアウト端末１として、入出金装置１３およびカードリーダ２４を備え、これらの装置に投入される現金やクレジットカードを用いて会計処理部５７が会計処理を行っていた。しかしながら、セルフチェックアウト端末１では商品登録のみを行い、商品登録情報を別の装置に送信し、その別の装置で会計処理を行うようにしてもよい。
【００５８】
また、実施形態では、取扱商品にバーコードが印刷されていた場合に、撮影装置２３でバーコードの画像を撮影して、撮影した画像からバーコードを読み取ることで取扱商品を認識していた。しかしながら、赤外線を用いてバーコードを読み取るバーコードリーダを撮影装置２３に代えてまたは撮影装置２３と共に備える構成にしてもよい。
【００５９】
また、実施形態では、キャラクターＰを特典情報として出力装置であるタッチディスプレイ２１に出力していた。しかしながら、セルフチェックアウト端末１が出力する特典情報は、これに限定されるものではない。
例えば、ミニゲームやルーレットなどを特典情報としてタッチディスプレイ２１に表示してもよい。また、おみくじ、占い、クーポン券などを特典情報としてレシートに印字してもよい。また、複数の関連する図柄や文章などを特典情報として複数枚のレシートに分けて印字してもよい。この場合、顧客が複数枚のレシートを集めることで、より一層の満足感を顧客に対して与えることができる。
【００６０】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
商取引における商品の登録を行う商品登録装置であって、
動作モードに対応付けられた商品登録に関する情報を出力する情報出力手段と、
所定の動作モードで商品登録を行う場合に、商品の種類または商品登録を行った合計金額に基づいて商品登録を制限する登録制限手段と、を備え、
前記情報出力手段は、前記所定の動作モードで商品登録を行う場合に、当該商品登録の過程および商品登録を行う前後の少なくとも何れかの時点で特典情報を出力する、
ことを特徴とする商品登録装置。
＜請求項２＞
前記情報出力手段は、商品登録の状況を説明するキャラクターを特典情報として表示手段に表示させる、
ことを特徴する請求項１に記載の商品登録装置。
＜請求項３＞
撮影手段を用いて前記商品を撮影した撮影画像を表示する表示手段を備え、
前記情報出力手段は、前記撮影画像における前記商品に反応するキャラクターを特典情報として前記表示手段に表示させる、
ことを特徴とする請求項１に記載の商品登録装置。
＜請求項４＞
前記情報出力手段は、商品登録の成否に反応するキャラクターを特典情報として表示手段に表示させる、
ことを特徴する請求項１に記載の商品登録装置。
＜請求項５＞
前記情報出力手段は、商品登録を予め定められた指標を用いて算出した得点を特典情報として出力する、
ことを特徴とする請求項１に記載の商品登録装置。
＜請求項６＞
商取引における商品の登録を行う商品登録方法であって、
動作モードに対応付けられた商品登録に関する情報を出力する情報出力ステップ、
所定の動作モードで商品登録を行う場合に、商品の種類または商品登録を行った合計金額に基づいて商品登録を制限する登録制限ステップを含み、
前記情報出力ステップは、前記所定の動作モードで商品登録を行う場合に、当該商品登録の過程および商品登録を行う前後の少なくとも何れかの時点で特典情報を出力する特典情報出力ステップをさらに含む、
ことを特徴とする商品登録方法。
【符号の説明】
【００６１】
１      セルフチェックアウト端末
２      筐体
５      発光部
１０    下部側筐体
１１    カゴ載置台
１２    袋保持具設置台
１３    入出金装置
２０    上部側筐体
２１    タッチディスプレイ
２２    スピーカ
２３    撮影装置（撮影手段）
２４    カードリーダ
２５    プリンタ
２６    制御部
２７    記憶部
２７ａ  オブジェクト認識用データ
２７ｂ  登録制限情報
２７ｃ  出力情報
２７ｄ  商品内容データ
２７ｅ  売上マスタ
２８    通信部
５１    画像記憶部
５２    オブジェクト認識処理部
５３    登録制限部
５４    情報出力部
５５    売上登録部
５６    入力取得部
５７    会計処理部
【図１】
0006369321.tif 000002
【図２】
0006369321.tif 000003
【図３】
0006369321.tif 000004
【図４】
0006369321.tif 000005
【図５】
0006369321.tif 000006
【図６】
0006369321.tif 000007
【図７】
0006369321.tif 000008
【図８】
0006369321.tif 000009
【図９】
0006369321.tif 000010
【図１０】
0006369321.tif 000011
【図１１】
0006369321.tif 000012
【図１２】
0006369321.tif 000013
【図１３】
0006369321.tif 000014
【図１４】
0006369321.tif 000015